(57)【要約】【課題】収納される飾り物の美的価値を余すところ無く引き出して鑑賞に供することができるようにした飾りケースを提供する。【解決手段】飾りケースを、透明材で構成され且つその内部を収納空間Ｓとした略円筒状又は略多角筒状の外観形体をもつケース本体１と、該ケース本体１の内部に配置されたＬＥＤ照明体４を備えて構成する。係る構成によれば、上記ケース本体１内に飾物Ｆを収納し、これをＬＥＤ照明体４によって照明すれば、該飾物Ｆを周辺環境の照明に左右されることなく、その美的価値を余すところ無く表現してこれを鑑賞に供することができ、さらに照明の仕方によっては飾物Ｆのみではなく、該飾物Ｆとこれが収容された飾りケース１とが渾然一体となって得られる美的価値をも鑑賞対象とすることができる。【選択図】図１
2010022795.tif 000002
【特許請求の範囲】
【請求項１】
透明材で構成され且つその内部を収納空間（Ｓ）とした略円筒状又は略多角筒状の外観形体をもつケース本体（１）と、該ケース本体（１）の内部に配置されたＬＥＤ照明体（４）を備えたことを特徴とする飾りケース。
【請求項２】
請求項１において、
上記ＬＥＤ照明体（４）が、上記ケース本体（１）の側面板（１ａ）の上縁部の内面又は天面板（１ｂ）の外縁部の内面に固定されていることを特徴とする飾りケース。
【請求項３】
請求項１において、
上記ケース本体（１）の側面板（１ａ）と天面板（１ｂ）のコーナ部の内側に、略三角形状の断面形状をもつ幅木材（５）が、その略直交する二面（５ｂ）、（５ｃ）を上記側面板（１ａ）と天面板（１ｂ）の内面に対向させた状態で配置されるとともにこれら一対の対向部分の少なくとも何れか一方が貼着固定される一方、該幅木材（５）の斜面（５ａ）に上記ＬＥＤ照明体（４）が固定されていることを特徴とする飾りケース。
【請求項４】
請求項２又は３において、
上記ケース本体（１）の側面板（１ａ）と天面板（１ｂ）のコーナ部の外側に、略直交する一対の縁部（３ａ）、（３ｂ）を備えた枠体（３）が、上記稜線部分を覆うようにして取付けられていることを特徴とする飾りケース。
【発明の詳細な説明】
【技術分野】
【０００１】    本願発明は、花飾り等の飾り物を収納し、これを鑑賞に供し得るようにした飾りケースに関するものである。
【背景技術】
【０００２】  この種の飾りケースの従来例としては、例えば、特許文献１、特許文献２に示されるものがある。【０００３】  特許文献１に示される飾りケースは、押し花が固定された装飾体本体を額に取付けて構成されるものであって、この際、上記押し花の花髄部に厚みをもたせて量感を出しているため、上記装飾体本体と透明なカバーとの間に空間部を設け、この空間部内に上記押し花を配置するようにしたものである。【０００４】  特許文献２に示される飾りケースは、押し花等の作品を、乾燥剤や脱酸素剤とともに収容するために、ケース本体を薄型箱状に形成し、ここに設けられた扁平空間内に上記作品等を収容するようにしたものである。【０００５】
【特許文献２】  特開２００３−０５５１０１号公報
【特許文献２】  特開２００５−２１９４７０号公報
【発明の開示】
【発明が解決しようとする課題】
【０００６】  ところで、飾りケースは、内部に収納した飾り物を鑑賞に供するためのものであることから、該飾り物を、それが本来有する美しさを強調して見せると同時に、これが収納された飾りケースと渾然一体となった美しさも要求されるものである。そのためには、飾り物の色彩とか造形を際立たせる照明効果も必要と考えられる。係る要求は、鑑賞対象の飾り物が、例えば、それ本来の形体を保持した造花とかプリザーブドフラワー等であって、その色彩とか形体の妙味等を鑑賞するものにおいては殊更である。【０００７】  しかるに、従来の飾りケースにおいては、専用の照明手段を備えず、単に飾りケース内に押し花等の作品を収納し、これを周辺環境の照明によって鑑賞させるようにしたものであることから、作品の種類とか形体等の諸条件の相違に拘らず、同じ明るさ、同じ照明形態で鑑賞することになり、各作品に特有の美的価値を感受することが困難である。【０００８】  尤も、従来は、作品が「押し花」のように、比較的扁平形体であって照明による陰影の妙をさほど必要としない、という背景があることも頷けるが、係る作品として、近年普及が著しい「プリザーブドフラワー」を採用する機会が増えるものと予想されることに鑑みれば、従来の飾りケースの形体、構成等を再考する必要性は高いものといえる。【０００９】  そこで本願発明は、収納される飾り物の美的価値を余すところ無く引き出して鑑賞に供することができるようにした飾りケースを提供することを目的としてなされたものである。
【課題を解決するための手段】
【００１０】  本願発明では、上記課題を解決するために以下のような構成を採用している。【００１１】  本願の第１の発明に係る飾りケースは、透明材で構成され且つその内部を収納空間Ｓとした略円筒状又は略多角簡状の外観形体をもつケース本体１と、該ケース本体１の内部に配置されたＬＥＤ照明体４を備えたことを特徴としている。【００１２】  本願の第２の発明では、上記第１の発明に係る飾りケースにおいて、上記ＬＥＤ照明体４を、上記ケース本体１の側面板１ａの上縁部の内面又は天面板１ｂの外縁部の内面に固定したことを特徴としている。【００１３】  本願の第３の発明では、上記第１の発明に係る飾りケースにおいて、上記ケース本体１の側面板１ａと天面板１ｂのコーナ部の内側に、略三角形状の断面形状をもつ幅木材５を、その略直交する二面５ｂ、５ｃを上記側面板１ａと天面板１ｂの内面に対向させた状態で配置するとともにこれら一対の対向部分の少なくとも何れか一方を貼着固定する一方、該幅木材５の斜面５ａに上記ＬＥＤ照明体４を固定したことを特徴としている。【００１４】  本願の第４の発明では、上記第２又は第３の発明に係る飾りケースにおいて、上記ケース本体１の側面板１ａと天面板１ｂのコーナ部の外側に、略直交する一対の縁部３ａ、３ｂを備えた枠体３を、上記稜線部分を覆うようにして取付けたことを特徴としている。
【発明の効果】
【００１５】  本願発明では次のような効果が得られる。【００１６】  （ａ）本願の第１の発明に係る飾りケースによれば、透明材で構成され且つその内部を収納空間Ｓとした略円筒状又は略多角筒状の外観形体をもつケース本体１と、該ケース本体１の内部に配置されたＬＥＤ照明体４を備えて構成されているので、上記収納空間Ｓ内に、例えば、花飾りとか人形等の飾物Ｆを収納し、これを上記ＬＥＤ照明体４によって照明すれば、該飾物Ｆを周辺環境の照明に左右されることなく、該飾物Ｆの美麗さを余すところ無く表現してこれを鑑賞に供することができ、さらに照明の仕方によっては上記飾物Ｆのみではなく、該飾物Ｆとこれが収容された飾りケース１とが渾然一体となって得られる美的価値をも鑑賞対象とすることができ、これらの相乗効果として、飾りケース１の使用価値あるいは商品価値が格段に向上することになる。【００１７】  （ｂ）本願の第２の発明に係る飾りケースよれば、上記（ａ）に記載の効果に加えて以下のような特有の効果が得られる。即ち、この発明では、上記ＬＥＤ照明体４を、上記ケース本体１の側面板１ａの上縁部の内面又は天面板１ｂの外縁部の内面に固定するようにしているので、該ケース本体１内に収容された飾物Ｆをその上方側の周囲から照明することができ、該飾物Ｆの美麗さを十分に引き出すことができる。【００１８】  また、特に、上記ＬＥＤ照明体４を上記天面板１ｂの外縁部の内面に固定した場合には、該ＬＥＤ照明体４から上記側面板１ａ側に指向する照射光は、該側面板１ａの内面における入射角が極めて小さくなることから該側面板１ａを透過することなくその表面で反射して上記飾物Ｆ側へ照射されることから、上記収納空間Ｓの下方まで効率よく照明することができ、上記飾物Ｆの美麗をさらに高めることができる。【００１９】  （ｃ）本願の第３の発明に係る飾りケースよれば、上記（ａ）に記載の効果に加えて以下のような特有の効果が得られる。即ち、この発明では、上記ケース本体１の側面板１ａと天面板１ｂのコーナ部の内側に、略三角形状の断面形状をもつ幅木材５を、その略直交する二面５ｂ、５ｃを上記側面板１ａと天面板１ｂの内面に対向させた状態で配置するとともにこれら一対の対向部分の少なくとも何れか一方を貼着固定する一方、該幅木材５の斜面５ａに上記ＬＥＤ照明体４を固定しているので、上記ＬＥＤ照明体４からの照射光は、上記ケース本体１の側面板１ａと天面板１ｂの内側コーナ部から収納空間Ｓの中心側へ向けて下降傾斜状に照射されることとなり、該収納空間Ｓ内に収納された飾物Ｆをより効率良く照明してその美麗をさらに高めることができる。【００２０】  また、特に上記幅木材５を上記ケース本体１の側面板１ａに貼着固定した場合には、上記天面板１ｂは上記ＬＥＤ照明体４の機能に何等の影響を与えることもなく、これとは無関係に着脱させることができるので、該天面板１ｂを着脱して上記ケース本体１の上面側から上記収納空間Ｓ内に飾物Ｆを出し入れすることができ、該ケース本体１の使用時の利便性が向上し、その商品価値の更なる向上が期待できる。【００２１】  （ｄ）本願の第４の発明に係る飾りケースよれば、上記（ｂ）又は（ｃ）に記載の効果に加えて以下のような特有の効���が得られる。即ち、この発明では、上記ケース本体１の側面板１ａと天面板１ｂのコーナ部の外側に、略直交する一対の縁部３ａ、３ｂを備えた枠体３を、上記稜線部分を覆うようにして取付けているので、該幅木材５の存在によって、全体として透明性をもつ上記ケース本体１に意匠上のポイントが付加され、該ケース本体１の意匠性が向上し、延いてはその商品価値がさらに高められることになる。【００２２】  また、上記幅木材５を不透明材で構成した場合には、上記ケース本体１の側面板１ａと天面板１ｂのコーナ部の内側に配置された上記ＬＥＤ照明体４が外部から透視されるのを阻止することができ、これによって上記ケース本体１の外観上の美麗性が向上することになる。
【発明を実施するための最良の形態】
【００２３】  以下、本願発明を好適な実施形態に基づいて具体的に説明する。【００２４】「Ａ：第１の実施形態」【００２５】  図１には、本願発明の第１の実施の形態に係る飾りケースＺ１を示している。この飾りケースＺ１は、例えば、プリザーブドフラワーとか造花、あるいは人形等の量感のある飾物Ｆ（この実施形態ではプリザーブドフラワーの組物を例示している）を収納して飾るに好適な飾りケースであって、次述のケース本体１と台座２と枠体３及びＬＥＤ照明体４を備えて構成される。【００２６】  上記ケース本体１は、アクリル板、ガラス板等の透明材を用いて四角筒状に形成されたもので、相互にその外縁が衝合状態で貼着固定された周囲４枚の側面板１ａと、該各側面板１ａの上端縁に貼着固定された一枚の天面板１ｂを備えて構成され、その内部は所定容積をもつ収納空間Ｓとされる。【００２７】  このケース本体１の底部開口部分は、矩形板材でなる台座２着脱自在に装着される。そして、上記飾物Ｆは、上記台座２上に載置され、しかる後、該台座２にその上側から上記ケース本体１を被せることで、該飾物Ｆが上記収納空間Ｓ内に収納される。【００２８】  なお、他の実施形態においては、上記台座２を上記ケース本体１の底部に固定する一方、上記側面板１ａの何れかを開閉自在に構成し、該側面板１ａの開閉によって上記収納空間Ｓ内に上記飾物Ｆを出し入れするように構成することもできる。【００２９】  一方、上記ケース本体１の上端には、次述の枠体３が、該ケース本体１の側面板１ａと天面板１ｂのコーナ部分の外側を覆うようにして取付けられる。この枠体３は、図２及び図３にも示すように、二つの縁部３ａ，３ｂをもつ断面Ｌ形の型材を四角形に折曲形成して構成されるものであって、その素材は非透明であることが望ましく、例えば、木材、アルミ材あるいは樹脂材等によって形成される。そして、この枠体３は、その一方の縁部３ａを上記天面板１ｂの外縁部の上面に、他方の縁部３ｂを上記側面板１ａの上端縁の外面に、それぞれ貼着固定されている。【００３０】  上記ケース本体１の上端コーナ部への上記枠体３の取付けによって、該コーナ部分は、上記枠体３によって目隠しされた状態となり、外部からの視認が困難な状態とされる。このような上記枠体３による目隠し作用を利用して、上記ケース本体１の上記コーナ部の内側に上記ＬＥＤ照明体４を取付けている。【００３１】  上記ＬＥＤ照明体４は、図４に示すように、樹脂製帯板状の基材４１に、複数のＬＥＤ素子４２と抵抗４３を交互に所定間隔で埋設して構成され、その一端の接続端子４４に給電用のリード線４５が接続される。また、上記ＬＥＤ照明体４の他端側の接続端子４４には、他のＬＥＤ照明体４を順次接続することで、これら複数のＬＥＤ照明体４を一体的に使用できるようになっている。なお、他の実施形態においては、上記構成のＬＥＤ照明体４に代えて、従来周知のチップ型ＬＥＤ素子を基板に取り付けた構成のものを使用し得ることは言うまでも無い。【００３２】  上記ＬＥＤ照明体４は、図２及び図３に示すように、その基材４１を上記ケース本体１の天面板１ｂの外周縁部の内面に貼着することで該ケース本体１側に取付けられる。このＬＥＤ照明体４の取付け状態においては、上記枠体３によって上記ＬＥＤ照明体４は外部から視認できない状態とされ、例えば、上記枠体３が設けられず上記ＬＥＤ照明体４が上記ケース本体１の外部から視認され得る場合に比して、上記ケース本体１の美麗性が向上するとともに、該枠体３を取付けたことで上記ケース本体１に上部に視覚的なメリハリができ、その意匠性も向上することになる。【００３３】  また、上記ＬＥＤ照明体４には、上記リード線４５が接続されているが、このリード線４５は、図１に示すように、上記ケース本体１の側面板１ａ相互の稜線部の内側を通って上記ケース本体１の底部側に引き出される。さらに、このリード線４５の下端は、該側面板１ａの下端部内面に固定されたコントローラ４６に接続されている。また、このコントローラ４６から延びるリード線４７は、上記側面板１ａに設けた通孔を通して外部へ引き出されている。【００３４】  なお、この実施形態では、上記ＬＥＤ照明体４のＬＥＤ素子４２を多色発光タイプとし、上記コントローラ４６によって、これら各ＬＥＤ素子４２の照射光の色が多色間で順次変更されるように発光制御を行っている。勿論、係る多色発光タイプのＬＥＤ素子４２に代えて、単色発光タイプのＬＥＤ素子４２を備えたＬＥＤ照明体４を用いることができることは言うまでも無い。【００３５】  以上のように構成された飾りケースＺ１は、その収納空間Ｓ内に好みの飾物Ｆを収容し、且つ上記ＬＥＤ照明体４を点灯させて、上記飾物Ｆの鑑賞に供される。この場合、上記飾物Ｆの上記収納空間Ｓ内への出し入れは、上記ケース本体１を上記台座２から取り外して該台座２上に上記飾物Ｆを載置し、しかる後、上記ケース本体１を再度台座２にその上側から載置することで行われる。【００３６】  上記収納空間Ｓ内に上記飾物Ｆを収容した状態で、上記ＬＥＤ照明体４を点灯させると、該ＬＥＤ照明体４の各ＬＥＤ素子４２から照射される照射光によって上記飾物Ｆが照明され、該飾物Ｆの形態、色彩あるいは陰影が、明瞭に且つ鮮やかに浮かび上がり、係る照明を行わない場合とは比較にならないほどその美麗さが強調され、観る者に感動を与えるものである。【００３７】  ところで、図３に示すように、上記ＬＥＤ照明体４の各ＬＥＤ素子４２が点灯されると、これらから光が照射されるが、この場合、この実施形態では、上記ＬＥＤ照明体４を上記天面板１ｂの外縁部の内面に固定しているので、該ＬＥＤ照明体４からの照射光のうち、上記収納空間Ｓの内部側へ指向する照射光Ｌ１はそのまま上記飾物Ｆを照明することは当然であるが、一部の照射光Ｌ２は上記側面板１ａ近傍から下方へ指向する。この場合、上記側面板１ａとＬＥＤ照明体４とが近接しているため、該側面板１ａの内面における照射光Ｌ２の入射角が極めて小さいので、該側面板１ａを透過することなくその表面で反射して上記飾物Ｆ側へ照射されることになり、これら両者の相乗効果によって、上記収納空間Ｓの下方までの広い範囲が効率よく照明され、その結果、照明による上記飾物Ｆの美麗さがさらに高められることになる。【００３８】  なお、この実施形態では、上記ＬＥＤ照明体４を上記ケース本体１の天面板１ｂ側に固定しているが、係る構成に代えて、例えば、上記ＬＥＤ照明体４を上記側面板１ａ側に固定することもできる。係る構成とした場合には、例えば、上記ケース本体１の各側面板１ａと上記天面板１ｂを非貼着とし、且つ上記枠体３の一方の縁部３ａと他方の縁部３ｂのうち、該一方の縁部３ａ側のみを上記側面板１ａに貼着し、他方の縁部３ｂは上記側面板１ａに対して非貼着とすることで、上記ＬＥＤ照明体４を上記側面板１ａ側に残したまま、上記天面板１ｂと上記枠体３を上記側面板１ａ側に対して一体的に着脱することができ、その結果、上記天面板１ｂを取り外したとき形成される上記ケース本体１の上端開口を、上記飾物Ｆの出し入れスペースとして利用することが可能となる。【００３９】「Ｂ：第２の実施形態」
図５には、本願発明の第２の実施の形態に係る飾りケースＺ２を示している。この飾りケースＺ２は、上記第１の実施形態に係る飾りケースＺ１と基本構成を同じにするものであって、これと異なる点は、上記ＬＥＤ照明体４の上記ケース本体１への取付構造である。従って、以下においてはこの相違点を中心に説明し、それ以外の構成及び作用効果については上記第１の実施形態における該当説明を援用し、ここでの説明を省略する。【００４０】  上記ＬＥＤ照明体４は、図６及び図７に示すように、上記第１の実施形態のように直接上記ケース本体１側に取付けるのではなく、次述の幅木材５を介して上記ケース本体１に取付けるようにしている。【００４１】  即ち、上記ケース本体１の上記側面板１ａと天面板１ｂのコーナ部の内側に、直角三角形上の断面形状をもつ幅木材５を、その直交する一対の面５ｂ、５ｃを上記側面板１ａの内面と天面板１ｂの内面にそれぞれ衝合させてこれらを貼着固定する。この幅木材５の固定によって、該幅木材５の斜面５ａは、上記コーナ部から上記収納空間Ｓの内側に指向する面となる。【００４２】  そして、この斜面５ａに上記ＬＥＤ照明体４を衝合固定する。すると、該ＬＥＤ照明体４の各ＬＥＤ素子４２は上記斜面の傾斜に対応して、その照射方向が上記収納空間Ｓの内側へ指向することになる。このため、このＬＥＤ照明体４の各ＬＥＤ素子４２によって上記収納空間Ｓ内に収納された上記飾物Ｆを照明した場合、該各ＬＥＤ素子４２からの照射光Ｌが上記飾物Ｆに集中的に照射されることとなり、該飾物Ｆの形態、色彩あるいは陰影が、より一層明瞭に且つ鮮やかに浮かび上がり、その美麗性がさらに強調され、観る者により大きな感動を与え、上記飾りケースＺ１の価値がさらに高められることになる。【００４３】  ここで、上記ケース本体１の上記コーナ部の外側には上記枠体３が取付けられ、該枠体３によって該コーナ部及びここに設けられた上記幅木材５が外部から視認されるのが防止されるようになっている。このため、上記幅木材５は、非透明材で構成する必要性は必ずしもなく、例えば、これを木材、樹脂材あるいは金属材等種々の素材によって形成することができる。また、この実施形態のように中実構造である必要は無く、要するに、上記ＬＥＤ照明体４の指向方向を上記収納空間Ｓの内側寄りへ指向させることができるような断面形状であれば良く、例えば、中空多角形の断面形状とか、図７に鎖線図示するような中空略Ｌ字形の断面形状等、種々の形状を採用できるものである。【００４４】  さらに、上記ＬＥＤ照明体４のＬＥＤ素子４２の照射方向は、上記幅木材５の斜面５ａの傾斜角を変更することで容易に変更可能であることから、例えば、上記収納空間Ｓ内に収納予定の飾物Ｆの大きさ、特に高さに応じて上記幅木材５の斜面５ａの傾斜角を変更設定すれば、該飾物Ｆの美麗さをより一層際立たせるような照明を実現することができる。【００４５】「Ｃ：第３の実施形態」
図８には、本願発明の第３の実施の形態に係る飾りケースＺ３を示している。この飾りケースＺ３は、上記第２の実施形態に係る飾りケースＺ２（さらには、上記第１の実施形態に係る飾りケースＺ２）の発展例として位置づけられるものであって、これと異なる点は、上記天面板１ｂを上記枠体３と共に上記天面板１ｂ側から着脱し得るように構成し、これを取り外した状態では上記ケース本体１の上端開口を上記収納空間Ｓｂへの上記飾物Ｆの出し入れスペースとして利用できるようにし、上記飾りケースＺ３の使用上の利便性の更なる向上を図ったものである。【００４６】  従って、以下においてはこの相違点を中心に説明し、それ以外の構成及び作用効果については上記第１及び第２の実施形態における該当説明を援用し、ここでの説明を省略する。【００４７】  この実施形態の飾りケースＺ３では、図９及び図１０に示すように、上記ＬＥＤ照明体４が取付けられた上記幅木材５を上記ケース本体１の上記側面板１ａと天面板１ｂｂのコーナ部の内側に取付けるに際して、該幅木材５の直交する二面５ｂ、５ｃのうち、他方の面５ｃのみを上記ケース本体１の側面板１ａに貼着し、一方の面５ｂは上記天面板１ｂと非貼着としている。【００４８】  また、上記枠体３は、その一方の縁部３ａのみを上記ケース本体１の上記天面板１ｂに貼着し、他方の縁部３ｂは上記側面板１ａと非貼着としている。なお、この場合、上記枠体３の他方の縁部３ｂの内面と上記ケース本体１の側面板１ａの外面との間に若干の嵌合隙間が生じるように、上記枠体３の寸法及び上記天面板１ｂへの取付位置を設定している。【００４９】  このような構成としたことで、上記ケース本体１の上記天面板１ｂは、上記ＬＥＤ照明体４の機能に何等影響を与えることなく、上記枠体３と一体的に上記側面板１ａ側から取り外すことができる。従って、上記天面板１ｂを取り外した状態では上記ケース本体１の上端面に上記天面板１ｂに対応した大きさの開口が形成されるため、この開口を、上記飾物Ｆの上記収納空間Ｓへの出し入れスペースとして利用することができるものである。【００５０】  なお、このケース本体１の構成によれば、上記台座２と上記ケース本体１を着脱自在とする必要は無く、従って、この実施形態の飾りケースＺ３では、図８に示すように、上記台座２と上記ケース本体１を一体的に接合している。但し、これら両者を、上記第１及び第２の実施形態のように、分離可能に構成することを排除するものではない。【００５１】  また、この実施形態の飾りケースＺ３においても、上記幅木材５の形状等をこの実施形態に限定されること無く、種々変更設定し得ることは勿論である。【００５２】「Ｄ：その他」
上記各実施形態においては、上記ケース本体１の形状を、四角筒状として説明したが、本願発明では係る構成に限定されるものではなく、例えば、図１１に示す飾りケースＺ４のような多角筒状形体とか、図１２に示す飾りケースＺ５のような略半円筒状形体等、種々の形体を採用し得るものである。
【図面の簡単な説明】
【００５３】
【図１】  本願発明の第１の実施形態に係る飾りケースの全体斜視図である。
【図２】  図１のＩＩ部の拡大図である。
【図３】  図２のＩＩＩ−ＩＩＩ断面図である。
【図４】  ＬＥＤ照明体の全体斜視図である。
【図５】  本願発明の第２の実施形態に係る飾りケースの全体斜視図である。
【図６】  図５のＶＩ部の拡大図である。
【図７】  図６のＶＩＩ−ＶＩＩ断面図である。
【図８】  本願発明の第３の実施形態に係る飾りケースの全体斜視図である。
【図９】  図８のＩＸ部の拡大図である。
【図１０】  図９のＸ−Ｘ断面図である。
【図１１】  ケース本体の他の第１形体例を示す斜視図である。
【図１２】  ケース本体の他の第２形体例を示す斜視図である。
【符号の説明】
【００５４】    １    ・・ケース本体
２    ・・台座
３    ・・枠体
４    ・・ＬＥＤ照明体
５    ・・幅木材
４１    ・・基材
４２    ・・ＬＥＤ素子
４３    ・・抵抗
４４    ・・接続端子４４
４５    ・・リード線
４６    ・・コントローラ
４７    ・・リード線
Ｆ    ・・飾物
Ｓ    ・・収納空間
Ｚ１〜Ｚ５・・飾りケース
【図１】
2010022795.tif 000003
【図２】
2010022795.tif 000004
【図３】
2010022795.tif 000005
【図４】
2010022795.tif 000006
【図５】
2010022795.tif 000007
【図６】
2010022795.tif 000008
【図７】
2010022795.tif 000009
【図８】
2010022795.tif 000010
【図９】
2010022795.tif 000011
【図１０】
2010022795.tif 000012
【図１１】
2010022795.tif 000013
【図１２】
2010022795.tif 000014